(57)【要約】【課題】高価な波長フィルタを用いることなく、簡易に視感度補正が可能なレーザ光源装置を提供する。【解決手段】レーザ光源である半導体レーザ１と、半導体レーザ１に熱的に接続され、半導体レーザ１からの熱を拡散するヒートブロック４と、一端部がヒートブロック４に接され、他端部に放熱フィン６が設けられたヒートパイプ５と、放熱フィン６を冷却するファン７を備えたレーザ光源装置において、レーザ光源装置内の２箇所の温度を測定するために配置された第１の温度センサ８および第２の温度センサ９と、第１の温度センサ８の出力および第２の温度センサ９の出力から視感度を補正するための制御信号を出力する制御回路１１と、制御回路１１の出力に基づいて半導体レーザ１を駆動する駆動回路１２を備える。【選択図】図１
2013168529.tif 000002
【特許請求の範囲】
【請求項１】
レーザ光源である半導体レーザと、前記半導体レーザに熱的に接続され、前記半導体レーザからの熱を拡散するヒートブロックと、一端部が前記ヒートブロックに接され、他端部に放熱フィンが設けられたヒートパイプと、前記放熱フィンを冷却するファンを備えたレーザ光源装置において、
前記レーザ光源装置内の２箇所の温度を測定するために配置された第１の温度センサおよび第２の温度センサと、
前記第１の温度センサの出力および前記第２の温度センサの出力から視感度を補正するための制御信号を出力する制御回路と、
前記制御回路の出力に基づいて前記半導体レーザを駆動する駆動回路を備えたこと特徴とするレーザ光源装置。
【請求項２】
前記第１の温度センサは前記半導体レーザの温度を計測する位置に配置され、前記第２の温度センサは前記放熱フィンの前記ファン側に配置されていることを特徴とする請求項１に記載のレーザ光源装置。
【請求項３】
前記第１の温度センサの計測値(Tth)および前記第２の温度センサの計測値(Ta)を用い
て、線形方程式（λ＝A”×Tth＋A’×Ta＋B）から発振波長λを推定して視感度を補正することを特徴とする請求項１に記載のレーザ光源装置。
【請求項４】
レーザ光源である半導体レーザと、前記半導体レーザに熱的に接続されたヒートシンクと、前記ヒートシンクを冷却するファンを備えたレーザ光源装置において、
前記レーザ光源装置内の２箇所の温度を測定するため配置された第１の温度センサおよび第２の温度センサと、
前記第１の温度センサの出力および前記第２の温度センサの出力から視感度を補正するための制御信号を出力する制御回路と、
前記制御回路の出力に基づいて前記半導体レーザを駆動する駆動回路を備えたこと特徴とするレーザ光源装置。
【請求項５】
前記第１の温度セン８は前記半導体レーザの温度を計測する位置に配置され、前記第２の温度センサは前記ヒートシンクの前記ファン側に配置されていることを特徴とする請求項４に記載のレーザ光源装置。
【請求項６】
請求項１から５のいずれか１項に記載されたレーザ光源装置と、前記レーザ光源装置から出射されたレーザ光を空間変調してスクリーンに投写する投写手段とを有した画像表示装置であって、
前記レーザ光源装置が３つ配置され、該３つのレーザ光源装置のそれぞれは、各原色のレーザ光を出射し、前記３つのレーザ光源装置からの３つのレーザ光を合成する合成手段をさらに有し、前記空間変調されるレーザ光は、前記合成手段によって合成されたレーザ光であることを特徴とする画像表示装置。
【発明の詳細な説明】
【技術分野】
【０００１】
この発明は、視感度補正機能を有したレーザ光源装置およびこのレーザ光源装置を備えた画像表示装置に関するものである。
【背景技術】
【０００２】
近年、放電管やＬＥＤなどを用いた従来の画像表示装置に加えて、レーザ光源を用いた画像表示装置が民生用の大型テレビあるいは業務用の大型ディスプレイとして開発されている。
この画像表示装置は、光源からの光を照明光学系によって変調素子としてのＤＭＤ（デジタルマイクロミラーデバイス）などに照射して画像光を形成し、この画像光をレンズやミラーなどの光学系によってスクリーンに背面などから投影することにより、画像を表示する構造となっている。
このような画像表示装置の光源にレーザ光源を用いた場合、レーザ光源は位相がそろったコヒーレントな光であることと、それぞれ独立したレーザ素子がＲ（赤色）、Ｇ（緑色）、Ｂ（青色）の波長帯のレーザ光を放つことなどから、従来の放電管やＬＥＤなどを用いた画像投写装置（画像表示装置）に比べて、省エネルギー性能が高く、さらに色再現範囲が広い、大画面化が容易、映像描写速度が速い、などの利点があり、３Ｄ映像（３次元映像）の表示にも適している。
【０００３】
赤色レーザ光源には赤色の波長のレーザ光を出射する半導体レーザが、また、緑色レーザ光源には波長変換素子とその基本波を発振する固体レーザ結晶と固体レーザを励起する半導体レーザから構成されるレーザ共振器が、また、青色レーザ光源には青色のレーザ光を出射する半導体レーザがそれぞれ一般的に用いられている。
ただし、半導体レーザは、光出力変化にともなう温度変化や周辺温度の変化によって、発光効率や発振波長が変化する。
人間の目は発振波長によって感度が異なる。これを視感度という。特に、レーザ光源の発振波長帯は、波長変化に対する視感度の変化が顕著な帯域である。
このため、周辺温度が変化しても、視感度が一定となるように自動出力制御(Automatic Power Control、以降ＡＰＣと記す)を行う必要がある。
【０００４】
国際公開公報ＷＯ２０１０／１００８９８Ａ１（特許文献１）には、「レーザ光源の光出力の一部をレンズの反射によって分離し、視感度と略一致するような特性を持つ波長センサを備えた光センサを用いて分離した光出力をモニタし、光出力温度変化や周辺温度の変化によって発光効率や発振波長が変化しても、視感度が一定となるようにＡＰＣを行う」ことが記載されている。
【先行技術文献】
【特許文献】
【０００５】
【特許文献１】国際公開公報ＷＯ２０１０／１００８９８Ａ１
【発明の概要】
【発明が解決しようとする課題】
【０００６】
特許文献１などに記載されているレーザ光源装置で使用している波長フィルタは、人間の目の感度と略一致する波長特性を持つ必要がある。
この波長フィルタは製作が難しく、コストがかかるという課題（問題点）があった。
また、波長フィルタの波長特性がばらつくと、人間の目で感じる明るさも変わるため、この課題の解決は重要である。
この発明は、上記のような問題点を解決するためになされたものであり、波長フィルタを用いることなく簡易に視感度補正を行えるレーザ光源装置およびこのレーザ光源装置を用いた画像表示装置を提供することを目的としている。
【課題を解決するための手段】
【０００７】
この発明に係るレーザ光源装置は、レーザ光源である半導体レーザと、前記半導体レーザに熱的に接続され、前記半導体レーザからの熱を拡散するヒートブロックと、一端部が前記ヒートブロックに接され、他端部に放熱フィンが設けられたヒートパイプと、前記放熱フィンを冷却するファンを備えたレーザ光源装置において、
前記レーザ光源装置内の２箇所の温度を測定するために配置された第１の温度センサおよび第２の温度センサと、前記第１の温度センサの出力および前記第２の温度センサの出力から視感度を補正するための制御信号を出力する制御回路と、前記制御回路の出力に基づいて前記半導体レーザを駆動する駆動回路を備えたものである。
【０００８】
また、この発明に係るレーザ光源装置は、レーザ光源である半導体レーザと、前記半導体レーザに熱的に接続されたヒートシンクと、前記ヒートシンクを冷却するファンを備えたレーザ光源装置において、
前記レーザ光源装置内の２箇所の温度を測定するために配置された第１の温度センサおよび第２の温度センサと、前記第１の温度センサの出力および前記第２の温度センサの出力から視感度を補正するための制御信号を出力する制御回路と、前記制御回路の出力に基づいて前記半導体レーザを駆動する駆動回路を備えたものである。
【発明の効果】
【０００９】
本発明によれば、製作が難しく高価な波長フィルタを用いることなく視感度を補正することができる機能を備えたレーザ光源装置を容易に提供することが可能となる。
【図面の簡単な説明】
【００１０】
【図１】実施の形態１によるレーザ光源装置の構成を示す図である。
【図２】人間の目の感度の波長特性（比視感度特性）を示す図である。
【図３】実施の形態１によるレーザ光源装置のＡＰＣを示すフローチャートである。
【図４】発振波長640nmで規格化した比視感度特性を示す図である。
【図５】発振波長640nmで規格化したフォトダイオードの波長特性を示す図である。
【図６】式１に示した比例定数αのグラフである。
【図７】実施の形態１によるレーザ光源装置の熱回路を示す図である。
【図８】赤色レーザ光源の温度による波長変化の測定結果を示す図である。
【図９】実施の形態２によるレーザ光源装置の構成を示す図である。
【発明を実施するための形態】
【００１１】
以下、図面に基づいて、本発明の一実施の形態例について説明する。
なお、各図間において、同一符号は、同一あるいは相当のものであることを表す。
実施の形態１．
図１は、本発明の実施の形態１によるレーザ光源装置の構成を示す図である。
レーザ光源である半導体レーザ１は、光を発光するチップ１ａと該チップ１ａの発熱を拡散するステム１ｂとで構成している。また、半導体レーザ１は、半導体レーザ１からの発熱をさらに拡散するヒートブロック４と熱的に接続している。
ヒートブロック４の熱は、底面部がヒートブロック４と接し、端部に放熱フィン６を有するヒートパイプ５に伝導する。
ヒートパイプ５の端部には放熱フィン６を設けており、ヒートパイプ５の熱は放熱フィン６に伝導し、放熱フィン６に伝導した熱はファン７によって冷気されて排熱される。  なお、放熱フィン６およびファン７は、ダクト１０内に設けている。
【００１２】
半導体レーザ１のチップ１ａに密着して第１の温度センサ８を配置し、放熱フィン６の吸気側には第２の温度センサ９を配置している。すなわち、第１の温度センサ８は半導体レーザ１のチップ１ａの温度を測定できるように配置され、第２の温度センサ９は放熱フィン６の吸気側の温度（すなわち、外気温）を測定できるように配置されている。
半導体レーザ１から出射した光出力の一部は、ビームスプリッタ３によって分離され、フォトダイオード２で受光して、電気信号に変換される。
【００１３】
制御回路１１は、フォトダイオード２からの電気信号と第１の温度センサ８および第２の温度センサ９の電気信号から、視感度を一定にするようなレーザ光源（すなわち、半導体レーザ１）の駆動電流を算出する。
この算出結果から、駆動回路１２を用いて、半導体レーザ１の駆動電流を制御し、光出力変化にともなう半導体レーザ１のチップ１ａの温度や半導体レーザ１の周辺温度（例えば、放熱フィン６の吸気側の温度）が変化しても、視感度が一定となるようなＡＰＣ（自動出力制御）を行う。
なお、図１において、太い実線の矢印は光出力を、破線の矢印は電気信号を、白抜きの矢印は風の流れを、示している。
【００１４】
図２は、赤色の光の波長である625nm〜655nmにおける人間の目の感度の波長特性（すなわち、比視感度特性）を示す図である。
なお、比視感度とは、人間の目が光の波長ごとの明るさを感じる強さを数値で表したものであり、人間の目が最大感度となる波長（555nm）における感じる強さを“１”として
、他の波長の明るさを感じる度合いをその比となるように、“１”以下の数で表したものである。
図２に示すように、波長640nmの比視感度は0.175であるが、波長630nmの比視感度は0.266であり、波長640nmの比視感度の約1.5倍である。また波長650nmの比視感度は0.107であり、波長640nmの比視感度の約0.6倍である。
【００１５】
従って、半導体レーザ１の発振波長が640nmから650nmに変化すると、半導体レーザ１の光出力を一定にしていても、人間の目で観測される明るさは、1.5倍になる。
また、発振波長が640nmから630nmに変化すると、人間の目で観測される明るさは、0.6倍になる。
従って、発振波長の変化に対する視感度を補正することは、レーザ光源を用いた画像表示装置において非常に重要である。
なお、実施の形態１では、半導体レーザ１から出射する光が赤色である場合について説明するが、青色や緑色の半導体レーザであっても、図１と同様の構成のレーザ光源装置によって視感度補正を行うことが可能である。
【００１６】
図３は、図１に示したレーザ光源装置のＡＰＣを示すフローチャートである。
実施の形態１では、第１の温度センサ８および第２の温度センサ９の出力から、レーザ光源（半導体レーザ１）の発振波長λを算出し、視感度が一定になるようにレーザ光源の駆動電流を制御している。
最初に、基準となるレーザ光源の光出力（例えば、出荷時の光出力）Iiniと発振波長（例えば、出荷時の発振波長）λiniを設定（ステップＳ１）する。通常は画像表示装置の表示映像が標準的な明るさになるように、レーザ光源の光出力Iiniを設定する。
【００１７】
次に、画像を表示するために、レーザ光源（半導体レーザ１）をＯＮ（ステップＳ２）して駆動を開始する。
その後、第１の温度センサ８および第２の温度センサ９が計測する温度をチェック（ステップＳ３）し、レーザ光源の発振波長λを算出（ステップＳ４）する。
この算出した発振波長λの比視感度と、出荷時の発振波長λiniの比視感度を比較して、人の目で感じる明るさが同じになるように、目標光出力Ｉを算出（ステップＳ５）する。
第１の温度センサ８および第２の温度センサ９が計測する温度のチェック（ステップＳ３）とほぼ同時に、フォトダイオード２の受光量IPDをチェック（ステップＳ６）する。
【００１８】
発振波長λを考慮した目標光出力Ｉとフォトダイオード２の受光量IPDの大きさを比較
した結果、 I＜IPDの時（ステップＳ７）、レーザ光源の駆動電流を上げて（ステップＳ
１０）、I＝IPDになるようにする。
I＞IPDの時（ステップＳ８）、レーザ光源の駆動電流を下げて（ステップＳ１１）、I
＝IPDになるようにする。I＝IPDの時（ステップＳ９）、レーザ光源の駆動電流を維持し
たまま、再度温度センサのチェック（ステップＳ３）に戻る。
図３に示したステップＳ３からステップＳ８は、図１に示した制御回路１１で演算を実行する。
ステップＳ１０、ステップＳ１１は、図１に示した駆動回路１２で実行する。
【００１９】
図３のステップＳ５に記載した「発振波長λを考慮した目標光出力Ｉ」と「基準となるレーザ光源の光出力Iini」の関係は、式１のように表すことができる。
I=α×Iini        ・・・  （式１）
ここで、αは比例定数であり、発振波長λの関数となる。
例えば、基準となるレーザ光源の光出力Iiniを求めた際の発振波長を640nmとする。
半導体レーザは、光出力変化による温度変化や周辺温度の変化によって、発光効率や発振波長が変化する。
人間の目は視感度を持つため、発振波長λが変化すると、光出力Iが同じでも、人の目で感じる明るさが異なる。
従って、発振波長λが変化すると、発振波長λiniが640nmの時に設定した目標光出力Iiniに対して、人の目で感じる明るさが同じになるように、レーザ光源の光出力Iを変化する必要がある。
式１に記載したαは、この時の補正係数であり、発振波長の関数となる。
【００２０】
次に、αを求める。
図２に示した比視感度特性を、640nm付近が“１”になるように規格化すると、図４に
示すグラフになる。
図４は、発振波長640nmが、650nmに変化すると、人間の目の感度が約1.5倍になり、発振波長が630nmに変化すると、人間の目の感度が約0.6倍になることを示している。
【００２１】
また、フォトダイオード２も、人間の目と同様に波長特性を持っている。
図５にフォトダイオードの波長特性の例を示す。図５は波長640nmの視感度が“１”になるように規格化している。
図４と図５を掛け合わせて、逆数にしたものを図６に示す。
図６は、式１に示した比例定数αのグラフである。
図６のαを２次近似すると、以下の式２のように表すことができる。
α= 0.0015×λ^2 - 1.8162×λ + 566.69  ・・・（式２）
式２より、発振波長λがわかると、αを算出することができる。
この結果、発振波長λを考慮した目標光出力Ｉが算出（ステップＳ５）できる。
【００２２】
次に、図３に示した温度センサチェック（ステップＳ３）および発振波長λの算出（ステップＳ４）の詳細を記載する。
図７は、図１に示したレーザ光源装置の構成図の熱回路を示す図である。
図７において、QRはチップ１ａの発熱量、Tjはチップ１ａの温度、Tthは第１の温度センサ８の計測値、Tｂはヒートブロック４の温度、Tａは第２の温度センサ９の計測値、Rj-thはチップ１ａ−第１の温度センサ８間の熱抵抗、Rth-ｂは第１の温度センサ８−ヒー
トブロック４間の熱抵抗、Rｂ-ａはヒートブロック４−第２の温度センサ９間の熱抵抗、Rth-ａは第１の温度センサ８−第２の温度センサ９間の熱抵抗である。
【００２３】
図７より、チップ１ａの発熱量QRは、式３のように表すことができる。
QR＝（Tth-Ta）/Rth-a      ・・・  （式３）
また、チップの温度Tjは、式４のように表すことができる。
Tj＝Ta＋QR×（Rｊ-ｔｈ＋Rth-a）      ・・・  （式４）
式３を式４に代入すると、チップの温度Tjは、式５のように表される。
Tj＝Ta＋[（Rｊ-ｔｈ＋Rth-a）/Rth-a]×（Tth-Ta）  ・・・  （式５）
【００２４】
チップ１ａの温度Tjは、発振波長λと比例することが知られている。
λ＝A×Tj＋B      ・・・  （式６）
但し、A、Bは定数
式６に式５を代入すると、発振波長λは、式７のように表すことができる。
λ=A'×Ta+ A''×Tth + B      ・・・  （式７）
但し、A'=｛1-×[（Rj-th+Rth-a）/Rth-a]｝×A
A''=[（Rj-th+Rth-a）/Rth-a]×A
式７より、定数であるA'、A''をあらかじめ計測しておけば、第１の温度センサ８の計測値Tthおよび、第２の温度センサ９の計測値Taを用いて、発振波長λを算出することができる。
【００２５】
図８に、赤色の半導体レーザ１を用いて、第２の温度センサ９の計測値Taが10℃、18℃、30℃の時に、レーザ光源を光出力変化させた時の、第１の温度センサ８の計測値Tthと、その時の発振波長λを計測した結果を示す。
図８の計測結果から、式７の定数A'、A''、Bは式８のようになる。
半導体レーザの特性から、式７に記載するA''、A’は、A''：0.2〜0.5、A'：-0.4〜0の間の値であることを実験的に見出した。
λ=0.34×Tth-0.15×Ta+631.17      ・・・  （式８）
【００２６】
これらの結果から、図３に示したＡＰＣの制御フローを、ある一定周期ごとに行うことによって、光出力変化にともなう温度変化や周辺温度が変化しても、視感度が一定となるようなＡＰＣを実現することが可能になる。
この方法は、特許文献１に記載されていた波長フィルタを用いていないので、低コストで簡易に実現可能である。
実施の形態１では、第１の温度センサ８は半導体レーザ１のチップ１ａ内またはチップ１ａと密着させて配置しており、第２の温度センサ９はダクト１０内の放熱フィン６の吸気側（すなわち、放熱フィン６とファン７の間）に配置した。
なお、第１の温度センサ８と第２の温度センサ９は、チップ１ａおよび放熱フィン６の吸気側間であれば、任意の２箇所に配置しても同様の効果を得ることができる。
本実施の形態では、発熱源であり温度が最も高くなる半導体レーザ１と温度が最も低くなる放熱フィン６の吸気側の２箇所に、第１の温度センサ８と第２の温度センサ９をそれぞれ配置し、第１の温度センサ８と第２の温度センサ９の計測結果の差が大きくなるようにしていることにより、温度センサの測定誤差の影響を小さくできる。
【００２７】
以上説明したように、実施の形態１によるレーザ光源装置は、レーザ光源である半導体レーザ１と、半導体レーザ１に熱的に接続され、半導体レーザ１からの熱を拡散するヒートブロック４と、一端部がヒートブロック４に接され、他端部に放熱フィン６が設けられたヒートパイプ５と、放熱フィン６を冷却するファン７を備えたレーザ光源装置において、レーザ光源装置内の２箇所の温度を測定するために配置された第１の温度センサ８および第２の温度センサ９と、第１の温度センサ８の出力および第２の温度センサ９の出力から視感度を補正するための制御信号を出力する制御回路１１と、制御回路１１の出力に基づいて半導体レーザ１を駆動する駆動回路１２を備えている。
この構成により、２箇所の温度センサの出力から発振波長を推定することができるため、製作が難しく高価な波長フィルタを用いることなく、低コストで視感度補正が実現可能である。
【００２８】
また、実施の形態１によるレーザ光源装置の第１の温度センサ８は半導体レーザ１の温度を計測できる位置に配置され、第２の温度センサ９は放熱フィン６のファン７側（外気温を測定できる位置）に配置されている。
この構成により、２箇所の温度センサ（すなわち、第１の温度センサ８および第２の温度センサ９）の温度差が最も大きくなる。従って、温度センサの測定精度の影響を最大に抑えることができ、視感度補正の精度が向上する。
【００２９】
また、実施の形態１によるレーザ光源装置は、第１の温度センサ８の計測値(Tth)およ
び第２の温度センサ９の計測値(Ta)を用いて、線形方程式（λ＝A”×Tth＋×Ta＋B）か
ら発振波長λを推定して視感度を補正する。
この構成により、２箇所の温度センサ（すなわち、第１の温度センサ８および第２の温度センサ９）の出力から発振波長を推定する。そのため、波長フィルタを用いることなく、低コストで視感度を補正することができる。
【００３０】
実施の形態２．
図９は、本発明の実施の形態２によるレーザ光源装置の構成図である。
半導体レーザ１は、光を発光するチップ１ａと、チップ１ａからの発熱を拡散するステム１ｂから構成している。
半導体レーザ１は、半導体レーザ１からの発熱を拡散するヒートシンク１３と熱的に接続し、ヒートシンク１３を冷却するファン７を用いて冷却する。半導体レーザ１とヒートシンク１３には、それぞれ第１の温度センサ８と第２の温度センサ９を配置している。
【００３１】
実施の形態２においても、第１の温度センサ８と第２の温度センサ９が計測する温度から半導体レーザ１の発振波長λを算出し、視感度が一定になるようにＡＰＣを行う手順は、先の実施の形態１で説明した手順と同様である。
なお、図９においては、実施の形態１によるレーザ光源装置の構成を示す図１の各構成要素と同じ機能を達成する構成要素に関しては、同一符号を付して示している。
この実施の形態２においても、図３に示したＡＰＣの制御フローを、ある一定周期ごとに行うことにより、周辺温度が変化しても、視感度が一定となるようなＡＰＣを実現することが可能になる。
【００３２】
実施の形態１と同様に、本実施の形態でも、特許文献１に記載されているような製作が難しく高価な波長フィルタを用いていないので、低コストで実現可能である。
また、実施の形態２では、ヒートパイプ５を介さずに半導体レーザ１がヒートシンク１３に取り付けられているので装置がコンパクトになる。
【００３３】
前述した実施の形態１あるいは実施の形態２では、半導体レーザ１が赤色である場合について説明したが、青色や緑色の半導体レーザであっても、図１あるいは図９と同様の構成のレーザ光源装置で、視感度補正を実現することが可能である。
【００３４】
以上説明したように、実施の形態２によるレーザ光源装置は、レーザ光源である半導体レーザ１と、半導体レーザ１に熱的に接続されたヒートシンク１３と、ヒートシンク１３を冷却するファン７を備えたレーザ光源装置において、
レーザ光源装置内の２箇所の温度を測定するため配置された第１の温度センサ８および第２の温度センサ９と、第１の温度センサ８の出力および第２の温度センサ９の出力から視感度を補正するための制御信号を出力する制御回路１１と、制御回路１１の出力に基づいて半導体レーザ１を駆動する駆動回路１２を備えている。
この構成によれば、波長フィルタを用いることなく２箇所の温度センサの出力から発振波長を推定することができるともに、ヒートパイプや放熱フィンを設ける必要がないので、レーザ光源装置をコンパクトにすることができる。
【００３５】
また、実施の形態２においても、第１の温度センサ８は半導体レーザ１の温度を計測する位置に配置され、第２の温度センサ９は放熱フィン６のファン７側に配置されている。
従って、製作が難しく高価な波長フィルタを用いることなく２箇所の温度センサの出力から発振波長を推定することができるともに、ヒートパイプや放熱フィンを設ける必要がないので、レーザ光源装置をコンパクトにすることができる。
さらに、２箇所の温度センサ（すなわち、第１の温度センサ８および第２の温度センサ９）の温度差が最も大きくなるので、温度センサの測定精度の影響を抑えることができ、視感度補正の精度が向上する。
【００３６】
実施の形態３．
実施の形態１あるいは実施の形態２によるレーザ光源装置は、Ｒ（赤色）、Ｇ（緑色）、Ｂ（青色）の複数のレーザ光を出射する画像表示装置のレーザ光源として用いることができる。
例えば、特許文献１（国際公開公報ＷＯ２０１０／１００８９８）には、レーザ光源装置と、レーザ光源装置から出射されたレーザ光を空間変調してスクリーンに投写する手段とを有した画像表示装置であって、レーザ光源装置が複数備えられ、複数のレーザ光源装置のそれぞれは、各原色（すなわち、Ｒ、Ｇ、Ｂ）のレーザ光を出射し、複数のレーザ光源装置からの複数のレーザ光を合成する合成手段をさらに有し、空間変調されるレーザ光は、この合成手段によって合成されたレーザ光であることを特徴とする画像表示装置が記載されている。
【００３７】
実施の形態３による画像表示装置は、特許文献１に記載されているような波長フィルタを用いたレーザ光源装置に代えて、実施の形態１あるいは実施の形態２によるレーザ光源装置を、各原色（Ｒ、Ｇ、Ｂ）のレーザ光を出射するレーザ光源装置として用いることを特徴とする。
具体的に述べれば、実施の形態３による画像表示装置は、波長フィルタを用いていない実施の形態１あるいは実施の形態２によるレーザ光源装置と、レーザ光源装置から出射されたレーザ光を空間変調してスクリーンに投写する投写手段とを有した画像表示装置であって、レーザ光源装置が３つ配置され、該３つのレーザ光源装置のそれぞれは、各原色のレーザ光を出射し、３つのレーザ光源装置からの３つのレーザ光を合成する合成手段をさらに有し、空間変調されるレーザ光は、合成手段によって合成されたレーザ光であることを特徴とする。  従って、本実施の形態による画像表示装置は、レーザ光源装置は製作が難しく高価な波長フィルタを用いていないので、画像表示装置のコストを低減できる。
【産業上の利用可能性】
【００３８】
本発明は、製作が難しい波長フィルタを用いることなく視感度補正機能を備えたレーザ光源装置の実現に有用である。
【符号の説明】
【００３９】
１  半導体レーザ          １ａ  チップ              １ｂ  ステム
２  フォトダイオード        ３  ビームスプリッタ      ４  ヒートブロック
５  ヒートパイプ            ６  放熱フィン            ７  ファン
８  第１の温度センサ        ９  第２の温度センサ    １０  ダクト
１１  制御回路              １２  駆動回路            １３  ヒートシンク
【図１】
2013168529.tif 000003
【図２】
2013168529.tif 000004
【図３】
2013168529.tif 000005
【図４】
2013168529.tif 000006
【図５】
2013168529.tif 000007
【図６】
2013168529.tif 000008
【図７】
2013168529.tif 000009
【図８】
2013168529.tif 000010
【図９】
2013168529.tif 000011